(57)【要約】【課題】  通常表示動作状態からスタンバイ状態への移行時における表示ムラの発生をなくした液晶表示装置及び液晶表示装置の駆動制御方法を提供すること。【解決手段】  待機状態等になったときに通常表示動作状態からスタンバイ状態に移行させる機能を備える液晶表示装置において、通常表示動作状態からスタンバイ状態に移行させる際に、少なくとも走査側駆動手段が全ての走査ラインに走査駆動信号を順次出力する間、単位セル回路２３１及びコモン信号出力手段に同じ電圧レベルの信号Ｙ及びコモン信号電圧をそれぞれ出力させ、当該期間の終了後、走査側駆動手段による走査駆動信号の出力を停止させてスタンバイ状態に設定する制御を行う。【選択図】図３
2006106019.tif 000002
【特許請求の範囲】
【請求項１】
複数の走査ライン及び複数の信号ラインの各交点近傍にマトリクス状に配列されて画素電極を有する複数の表示画素と、各画素電極の対向位置に配設される共通電極とを有する表示パネルと、前記複数の信号ラインの各々に所定の映像信号に基づく信号電圧を印加する信号側駆動手段と、前記複数の走査ラインに走査駆動信号を順次出力して前記表示画素を走査する走査側駆動手段と、前記共通電極に所定の周期で極性反転するコモン信号電圧を印加するコモン信号出力手段と、を備える液晶表示装置において、
前記液晶表示装置を通常表示動作状態からスタンバイ状態に移行させる、スタンバイ状態設定手段を備え、
前記スタンバイ状態設定手段は、前記通常表示動作状態から前記スタンバイ状態に設定する間の所定期間において、前記信号ラインに印加される前記信号電圧と前記共通電極に印加される前記コモン信号電圧とを同じ電位に設定する制御手段を備えることを特徴とする液晶表示装置。
【請求項２】
前記所定期間は、少なくとも、前記走査側駆動手段が前記複数の走査ラインの全てに前記走査駆動信号を順次出力する期間を有することを特徴とする請求項１に記載の液晶表示装置。
【請求項３】
前記制御手段は、前記所定期間の終了後、前記走査側駆動手段による前記走査駆動信号の出力を停止させて、前記スタンバイ状態に設定する手段を備えることを特徴とする請求項１に記載の液晶表示装置。
【請求項４】
前記信号側駆動手段は、前記複数の信号ラインの各々に個別に接続され、入力される前記映像信号に基づく表示信号を保持し、保持した前記表示信号を対応する信号ラインに前記信号電圧として印加する複数の表示信号保持手段を有し、
前記制御手段は、前記所定期間において、前記信号ラインに印加される前記信号電圧を、前記表示信号保持手段が保持していた前記表示信号から、特定の電位の信号に切り換える切換手段と、前記コモン信号電圧を前記特定の電位の信号と同じ電位に設定する手段と、を備えることを特徴とする請求項１〜３のいずれか一項に記載の液晶表示装置。
【請求項５】
前記所定期間における、前記特定の電位の信号及び前記コモン信号電圧は、一定の電位に保持される信号であることを特徴とする請求項４に記載の液晶表示装置。
【請求項６】
前記所定期間における、前記特定の電位の信号及び前記コモン信号電圧は、所定の周期で反転される信号であることを特徴とする請求項４に記載の液晶表示装置。
【請求項７】
前記表示信号保持手段は、
前記映像信号に基づく前記表示信号を個別に取り込み、保持する一対のサンプルホールド手段を備え、
水平走査期間毎に、前記サンプルホールド手段の一方に前記表示信号を取り込むとともに、前記対応する信号ラインに、前記サンプルホールド手段の他方に保持された前記表示信号に基づく前記信号電圧を印加することを特徴とする請求項４に記載の液晶表示装置。
【請求項８】
複数の走査ライン及び複数の信号ラインの各交点近傍にマトリクス状に配列されて画素電極を有する複数の表示画素と、各画素電極の対向位置に配設される共通電極とを有する表示パネルと、前記複数の信号ラインの各々に所定の映像信号に基づく信号電圧を印加する信号側駆動手段と、前記複数の走査ラインに走査駆動信号を順次出力して前記表示画素を走査する走査側駆動手段と、前記共通電極に所定の周期で極性反転するコモン信号電圧を印加するコモン信号出力手段と、を備えた液晶表示装置の駆動制御方法であって、
前記液晶表示装置を通常表示動作状態からスタンバイ状態に移行させるステップを有し、
前記スタンバイ状態に移行させるステップは、
前記通常表示動作状態から所定期間の間、前記信号ラインに印加される前記信号電圧と前記共通電極に印加される前記コモン信号電圧とを同じ電位に設定するステップと、
前記所定期間の終了後、前記走査側駆動手段による前記走査駆動信号の出力を停止させて、前記スタンバイ状態に設定するステップと、
を含むことを特徴とする液晶表示装置の駆動制御方法。
【請求項９】
前記信号電圧と前記コモン信号電圧とを同じ電位に設定するステップにおける前記所定期間は、少なくとも、前記走査側駆動手段が前記複数の走査ラインの全てに前記走査駆動信号を順次出力する期間を有することを特徴とする請求項８に記載の液晶表示装置の駆動制御方法。
【請求項１０】
前記信号電圧と前記コモン信号電圧とを同じ電位に設定するステップは、
前記信号ラインに印加される前記信号電圧を、前記映像信号に基づく信号から特定の電位の信号に切り換えるステップと、
前記コモン信号電圧を前記特定の電位の信号と同じ電位に設定するステップと、
を含むことを特徴とする請求項８又は９に記載の液晶表示装置の駆動制御方法。
【請求項１１】
前記信号電圧と前記コモン信号電圧とを同じ電位に設定するステップは、前記特定の電位の信号及び前記コモン信号電圧を所定の周期で反転するステップを含むことを特徴とする請求項１０に記載の液晶表示装置の駆動制御方法。
【発明の詳細な説明】
【技術分野】
【０００１】
本発明はアクティブマトリクス型ＬＣＤ（Liquid Crystal Display）を用いた液晶表示装置、及び当該液晶表示装置を駆動するための駆動制御方法に関する。
【背景技術】
【０００２】
液晶を駆動させて画像表示する液晶表示装置が知られている。このような液晶表示装置には、液晶表示パネル上に複数の走査線と複数の信号線とをそれぞれ直交に配置し、各交点近傍に液晶画素を配置するアクティブマトリクス方式のものがある。このアクティブマトリクス型液晶表示装置においては、スイッチング素子（例えばＴＦＴ（Thin Film Transistor：薄膜トランジスタ））を介して信号ラインに接続される画素電極（表示画素）と、当該画素電極に対向して配置される共通電極との間に液晶が充填され、２つの電極間にて電場が形成されることにより液晶が駆動される。
【０００３】
図１３は、液晶表示パネルの等価回路を示す図である。液晶表示パネル１０は、列方向に配設された複数の信号ラインＬｄ及び行方向に配設された複数の走査ラインＬｇと、信号ラインＬｄと走査ラインＬｇの各交点近傍に配置された複数の画素電極と、各画素電極に対向して配置された共通電極（対向電極）と、画素電極と共通電極の間に充填、保持された液晶からなる液晶容量Ｃｌｃと、該液晶容量Ｃｌｃに並列に接続され、他端が補助容量配線Ｌｃを介して所定電圧Ｖｃｓに接続され、液晶容量Ｃｌｃに印加された信号電圧を保持するための補助容量Ｃｓと、走査ラインＬｇにゲート端子が接続され、上記画素電極にソース端子が接続され、信号ラインＬｄにドレイン端子が接続されたＴＦＴと、補助容量配線Ｌｃと各信号ラインＬｄとの間に接続された静電気保護抵抗Ｒｃｓと、を備える。なお、補助容量配線Ｌｃと各信号ラインＬｄ間にダイオードやトランジスタによる静電気保護回路が設けられており、静電気保護抵抗Ｒｃｓは、この静電気保護回路の等価的な抵抗成分を表わしたものである。
【０００４】
このような構成を有する液晶表示パネル１０を備える液晶表示装置においては、走査ドライバ３０によって各行（走査ラインＬｇ）に走査信号が順次印加されて選択状態となると、対応するＴＦＴがオン状態となる。そして信号ドライバ９２によって信号ラインＬｄに出力された表示信号電圧がＴＦＴを介して各画素電極に印加されることにより、表示信号電圧と共通電極に印加されたコモン信号電圧ＶＣＯＭとの電位差が各表示画素の液晶容量Ｃｌｃに充電されて、該電位差に応じて各表示画素における液晶分子の配向状態が制御される。これにより、所望の画像情報が液晶表示パネル１０に表示される。
【０００５】
ところで、上述したような液晶表示装置において、待機状態等になったときに、通常表示動作状態から非表示状態に設定するとともに、必要最小限の部分のみを動作させて、電力消費を低減させたスタンバイ状態に設定する機能を備えるものがある。このようなスタンバイ状態では、例えば、信号ドライバ９２の出力がハイインピーダンス状態とされ、更に、走査ドライバ３０による垂直走査が停止される。そのため、各表示画素の液晶容量Ｃｌｃは、通常表示動作終了時の電圧を保持した状態となる。この表示画素に保持された電圧（残留電圧）は、周辺配線（走査ラインＬｇ、信号ラインＬｄ、補助容量配線Ｌｃ等）やＴＦＴ等を介して発生するリーク電流により、時間経過と共に徐々に放電されて、最終的に共通電極（コモン信号電圧ＶＣＯＭ）と同電位となる。
【０００６】
ここで、リーク電流により残留電圧がコモン信号電圧ＶＣＯＭと同電位となるまでには、数秒程度の比較的長い時間を要するため、表示画像（残像）が徐々に消えていく（残像）過程がユーザの目に認識されることになる。このような表示の変化は、ユーザに対して見苦しさを感じさせる原因の一つとなっていた。また、通常表示動作状態から待機状態に移行する度に、各表示画素の液晶分子に残留電圧に基づく直流電圧成分が印加されることになるため、液晶の劣化を招きやすいという問題も有していた。
【０００７】
このような残留電圧の問題を解決する手段として、例えば、特許文献１に記載されているような技術が知られている。すなわち、特許文献１においては、液晶表示装置の装置電源が遮断されてから、実際に電源から供給される駆動電力が遮断されるまでの所定の期間において、走査ドライバの垂直走査を継続させ、信号ドライバの出力をハイインピーダンス状態に制御することによって、信号ラインＬｄの電位を静電気保護抵抗Ｒｃｓと液晶容量Ｃｌｃとの時定数に応じた十分短い時間で補助容量配線Ｌｃの電位Ｖｃｓ（コモン信号電圧ＶＣＯＭ）と同電位とすることにより、各表示画素に０Ｖ又は低電圧を書き込んで、残留電圧による残像を消す残像消去処理が行なわれるようにしている。
【特許文献１】特開２０００−１６３０２５号公報
【発明の開示】
【発明が解決しようとする課題】
【０００８】
しかしながら、特許文献１に記載されている残像消去処理の方法では、以下のような問題があった。図１４は信号ドライバ９２の従来の要部構成図である。信号ドライバ９２は概略、クロック信号ＣＬＫに基づいてシフトレジスタスタート信号ＳＲＴを所定方向に順次シフトさせるシフトレジスタ回路９２１と、シフトレジスタ回路９２１の出力信号に電圧変換を施すレベルシフタ回路９２２と、輝度信号（ＲＧＢ反転信号）を１行単位で取り込んで保持し、輝度信号に対応する電圧レベルを持つ信号Ｙ１、Ｙ２、・・、Ｙｎ（以下、包括的に「信号Ｙ」と言う。）を所定のタイミングで各信号ラインＬｄへ出力するサンプルホールド回路９２３と、を備えて構成される。
【０００９】
サンプルホールド回路９２３は、概略、レベルシフタ回路９２２から出力された信号に応じて入力された輝度信号を保持し、保持された輝度信号に対応した表示信号電圧Ｖｓｉｇを出力するデータ保持回路９２３１と、表示信号電圧Ｖｓｉｇを所定の増幅率で増幅して出力するアンプ回路９２３２と、出力イネーブル信号（以下、単に「信号ＯＥ」と言う。）に基づいてオン／オフ制御されて、アンプ回路９２３２から出力された信号を断続するスイッチ回路９２３３と、クリア信号ＣＬＲに基づいてオン／オフ制御されて、スイッチ回路９２３３から出力された信号か、或いは所定の電圧（ＶＤＤ、ＶＬ、ＶＳＳ）、を切り換えて出力するスイッチ回路９２３４と、によって構成される。
【００１０】
上述の残像消去処理を行う期間では、信号ＯＥに基づいてスイッチ回路９２３３の各スイッチがオフ状態とされて、信号ドライバ９２の出力がハイインピーダンス状態に制御されるが、各スイッチは、実際にはトランジスタによって構成されて、トランジスタをオン状態及びオフ状態に制御することによってスイッチ動作するものである。ここで、スイッチを構成する各トランジスタの特性にバラツキがあって、通常表示動作時には何ら問題になる程度ではないが、オフ状態でのリーク電流が比較的大きいトランジスタが存在する場合がある。この場合、残像消去処理中は、上述のようにスイッチ回路９２３３を構成する各トランジスタがオフ状態とされるが、リーク電流が比較的大きいトランジスタに対応した信号ラインＬｄに、アンプ回路９２３２から僅かに電流が流れて、当該信号ラインＬｄの電位が、他の信号ラインＬｄの電位に対してやや上昇する現象が生じる場合がある。この場合、当該信号ラインＬｄに接続された表示画素の表示輝度がやや低下することになり（ノーマリホワイトの場合）、残像消去処理中の液晶表示パネル１０の表示が縦縞状となって、表示ムラとしてユーザに視認される問題があった。また、このような信号ドライバは通常表示動作に対しては問題ないにも係らず不良品とされてしまい、信号ドライバの歩留まりを低下させる原因となっていた。
【００１１】
本発明は以上の点を考慮してなされたものであり、その目的とするところは、通常表示状態からスタンバイ状態に移行する間の残像消去処理を行う期間における表示ムラの発生をなくすことができ、また、信号ドライバの歩留まりを向上させることができる液晶表示装置及び液晶表示装置の駆動制御方法を提供することである。
【課題を解決するための手段】
【００１２】
以上の課題を解決するために、請求項１に記載の発明の液晶表示装置は、複数の走査ライン及び複数の信号ラインの各交点近傍にマトリクス状に配列されて画素電極を有する複数の表示画素と、各画素電極の対向位置に配設される共通電極とを有する表示パネルと、前記複数の信号ラインの各々に所定の映像信号に基づく信号電圧を印加する信号側駆動手段と、前記複数の走査ラインに走査駆動信号を順次出力して前記表示画素を走査する走査側駆動手段と、前記共通電極に所定の周期で極性反転するコモン信号電圧を印加するコモン信号出力手段と、を備える液晶表示装置において、前記液晶表示装置を通常表示動作状態からスタンバイ状態に移行させる、スタンバイ状態設定手段を備え、前記スタンバイ状態設定手段は、前記通常表示動作状態から前記スタンバイ状態に設定する間の所定期間において、前記信号ラインに印加される前記信号電圧と前記共通電極に印加される前記コモン信号電圧とを同じ電位に設定する制御手段を備えることを特徴とする液晶表示装置。
【００１３】
請求項２に記載の発明は、請求項１に記載の液晶表示装置において、前記所定期間は、少なくとも、前記走査側駆動手段が前記複数の走査ラインの全てに前記走査駆動信号を順次出力する期間を有することを特徴とする。
【００１４】
請求項３に記載の発明は、請求項１に記載の液晶表示装置において、前記制御手段は、前記所定期間の終了後、前記走査側駆動手段による前記走査駆動信号の出力を停止させて、前記スタンバイ状態に設定する手段を備えることを特徴とする。
【００１５】
請求項４に記載の発明は、請求項１〜３のいずれか一項に記載の液晶表示装置において、前記信号側駆動手段は、前記複数の信号ラインの各々に個別に接続され、入力される前記映像信号に基づく表示信号を保持し、保持した前記表示信号を対応する信号ラインに前記信号電圧として印加する複数の表示信号保持手段を有し、前記制御手段は、前記所定期間において、前記信号ラインに印加される前記信号電圧を、前記表示信号保持手段が保持していた前記表示信号から、特定の電位の信号に切り換える切換手段と、前記コモン信号電圧を前記特定の電位の信号と同じ電位に設定する手段と、を備えることを特徴とする。
【００１６】
請求項５に記載の発明は、請求項４に記載の液晶表示装置において、前記所定期間における、前記特定の電位の信号及び前記コモン信号電圧は、一定の電位に保持される信号であることを特徴とする。
【００１７】
請求項６に記載の発明は、請求項４に記載の液晶表示装置において、前記所定期間における、前記特定の電位の信号及び前記コモン信号電圧は、所定の周期で反転される信号であることを特徴とする。
【００１８】
請求項７に記載の発明は、請求項４に記載の液晶表示装置において、前記表示信号保持手段は、前記映像信号に基づく前記表示信号を個別に取り込み、保持する一対のサンプルホールド手段を備え、水平走査期間毎に、前記サンプルホールド手段の一方に前記表示信号を取り込むとともに、前記対応する信号ラインに、前記サンプルホールド手段の他方に保持された前記表示信号に基づく前記信号電圧を印加することを特徴とする。
【００１９】
請求項８に記載の発明は、複数の走査ライン及び複数の信号ラインの各交点近傍にマトリクス状に配列されて画素電極を有する複数の表示画素と、各画素電極の対向位置に配設される共通電極とを有する表示パネルと、前記複数の信号ラインの各々に所定の映像信号に基づく信号電圧を印加する信号側駆動手段と、前記複数の走査ラインに走査駆動信号を順次出力して前記表示画素を走査する走査側駆動手段と、前記共通電極に所定の周期で極性反転するコモン信号電圧を印加するコモン信号出力手段と、を備えた液晶表示装置の駆動制御方法であって、前記液晶表示装置を通常表示動作状態からスタンバイ状態に移行させるステップを有し、前記スタンバイ状態に移行させるステップは、前記通常表示動作状態から所定期間の間、前記信号ラインに印加される前記信号電圧と前記共通電極に印加される前記コモン信号電圧とを同じ電位に設定するステップと、前記所定期間の終了後、前記走査側駆動手段による前記走査駆動信号の出力を停止させて、前記スタンバイ状態に設定するステップと、を含むことを特徴とする。
【００２０】
請求項９に記載の発明は、請求項８に記載の液晶表示装置の駆動制御方法において、前記信号電圧と前記コモン信号電圧とを同じ電位に設定するステップにおける前記所定期間は、少なくとも、前記走査側駆動手段が前記複数の走査ラインの全てに前記走査駆動信号を順次出力する期間を有することを特徴とする。
【００２１】
請求項１０に記載の発明は、請求項８又は９に記載の液晶表示装置の駆動制御方法において、前記信号電圧と前記コモン信号電圧とを同じ電位に設定するステップは、前記信号ラインに印加される前記信号電圧を、前記映像信号に基づく信号から特定の電位の信号に切り換えるステップと、前記コモン信号電圧を前記特定の電位の信号と同じ電位に設定するステップと、を含むことを特徴とする。
【００２２】
請求項１１に記載の発明は、請求項１０に記載の液晶表示装置の駆動制御方法において、前記信号電圧と前記コモン信号電圧とを同じ電位に設定するステップは、前記特定の電位の信号及び前記コモン信号電圧を所定の周期で反転するステップを含むことを特徴とする。
【発明の効果】
【００２３】
本発明によれば、通常表示状態からスタンバイ状態に移行する間の残像消去処理を行う期間において、信号ラインに印加する信号とコモン信号電圧の電圧レベルを同電位とすることにより、表示パネルの全画面を短時間で白表示状態（ノーマリホワイトの場合）とすることができる。更に、スタンバイ状態において信号側駆動手段の出力をハイインピーダンス状態にする構成ではないため、信号側駆動手段の出力段のトランジスタにリーク電流があっても、残像消去処理中の液晶表示パネルの表示が縦縞状となってしまうことがない。これにより、信号側駆動手段の不良品数を減らして、歩留まりを向上させることができる。
【発明を実施するための最良の形態】
【００２４】
以下、本発明の実施の形態を図示例と共に説明する。
図１は、液晶表示装置の構成の一例を示すブロック図であり、図２は、信号ドライバ２０の要部構成図である。図１に示すように、液晶表示装置１は、液晶表示パネル１０、信号ドライバ２０、走査ドライバ３０、ＲＧＢデコーダ４０、反転アンプ５０、駆動アンプ６０、ＬＣＤコントローラ７０及び電圧発生回路８０等によって構成される。ここで、上述した背景技術において図１３及び図１４に示した構成と同等の構成については、同一の符号を付して、その説明を簡略化又は省略する。
【００２５】
信号ドライバ２０は、信号ラインＬｄが接続され、後述するＬＣＤコントローラ７０から出力される水平制御信号に基づいて、反転アンプ５０から供給されるＲ（赤）、Ｇ（緑）、Ｂ（青）の各色の輝度信号を１行単位で取り込んで保持し、該輝度信号に対応する表示信号電圧を各信号ラインＬｄに順次供給する。ここで、水平制御信号とは、クロック信号ＣＬＫ、シフトレジスタスタート信号ＳＲＴ、スタンバイ信号ＳＴＢＹＢ、出力イネーブル信号ＯＥ、コンデンサ選択信号ＬＯＥ及び出力バイアス電流設定信号ＶＢ等である。
【００２６】
スタンバイ信号ＳＴＢＹＢは、待機状態等になって液晶表示装置１をスタンバイ状態に移行する際に、ハイレベルからロウレベルに切り換えられて出力されて、液晶表示装置１をスタンバイ状態に設定するための信号である。出力イネーブル信号ＯＥは、信号ドライバ２０から輝度信号に対応する表示信号電圧が液晶表示パネル１０に印加されることを許可するための信号である。コンデンサ選択信号ＬＯＥは、ライン毎に極性反転されて、後述するサンプルホールド回路２３のサンプリングコンデンサを選択するための信号である。
【００２７】
図２に示すように、信号ドライバ２０はシフトレジスタ回路９２１、レベルシフタ回路９２２及びサンプルホールド回路２３等によって構成される。シフトレジスタ回路９２１は、ＬＣＤコントローラ７０から出力される信号ＣＬＫ及び信号ＳＲＴが入力される。そして信号ＣＬＫに基づいて、信号ＳＲＴをラッチし、順次シフトしてレベルシフタ回路９２２へ出力する。レベルシフタ回路９２２は、シフトレジスタ回路９２１から出力された信号に電圧変換を施して、信号ＳＰ１、ＳＰ２、・・、ＳＰｎ（以下、包括的に「信号ＳＰ」と言う。）を出力する。
【００２８】
サンプルホールド回路２３は、上述の図１４におけるサンプルホールド回路９２３と同様に、概略、データ保持回路、アンプ回路等を備えて構成されるものであるが、サンプルホールド回路９２３における、信号ラインＬｄの各々に対応した回路部分を単位セル回路２３１とする。単位セル回路２３１はレベルシフタ回路９２２から信号ＳＰを入力し、反転アンプ５０から入力された輝度信号に対応する電圧レベルを持つ信号Ｙ１、Ｙ２、・・、Ｙｎ（以下、包括的に「信号Ｙ」と言う。）を出力する。なお、単位セル回路２３１の詳細については後述する。
【００２９】
走査ドライバ３０は、走査ラインＬｇが接続され、ＬＣＤコントローラ７０から出力される垂直制御信号に基づいて、各走査ラインＬｇに走査信号を順次印加して選択状態とする。これにより、選択状態となった走査ラインＬｇと信号ラインＬｄとが交差する位置の表示画素（画素電極）に、信号ドライバ２０から信号ラインＬｄを介して供給された輝度信号に対応する表示信号電圧が印加される。
【００３０】
ＲＧＢデコーダ４０は、例えば、液晶表示装置１の外部から供給される映像信号（コンポジットビデオ信号）から水平同期信号Ｈ、垂直同期信号Ｖ及びコンポジット同期信号ＣＳＹを抽出して、ＬＣＤコントローラ７０に供給すると共に、映像信号に含まれるＲ、Ｇ、Ｂの各色信号（ＲＧＢ信号）を抽出し、反転アンプ５０に出力する。
【００３１】
反転アンプ５０は、ＬＣＤコントローラ７０から供給される極性反転制御信号ＦＲＰに応じてＲＧＢ信号を反転処理して、ＲＧＢ反転信号を生成して上記輝度信号として信号ドライバ２０に出力する。
【００３２】
駆動アンプ６０は、極性反転制御信号ＦＲＰに基づいてコモン信号電圧ＶＣＯＭを生成し、液晶表示パネル１０の共通電極に出力する。なお、駆動アンプ６０はコモン信号電圧ＶＣＯＭのハイレベル及びロウレベルの電圧値を設定できる機能を備え、例えば外部より印加されるコモン信号電圧ＶＣＯＭの電圧レベル設定用の電圧に応じて設定する。
【００３３】
ＬＣＤコントローラ７０は、ＲＧＢデコーダ４０から供給される水平同期信号Ｈ、垂直同期信号Ｖ及びコンポジット同期信号ＣＳＹに基づいて、極性反転制御信号ＦＲＰ等を生成して、反転アンプ５０及び駆動アンプ６０に出力すると共に、水平制御信号及び垂直制御信号等を生成して、各々信号ドライバ２０及び走査ドライバ３０に出力することにより、所定のタイミングで各表示画素に輝度信号に対応する表示信号電圧を印加して、液晶表示パネル１０に映像信号に基づく所定の画像情報を表示させる制御を行う。
【００３４】
電圧発生回路８０は、液晶表示装置１を備える装置の電源投入に基づいて、液晶表示装置１を構成する各回路部の動作に必要な電圧、例えば、論理回路の高電圧（正電圧）ＶＤＤ、論理回路の低電圧（接地電圧又は負電圧）ＶＳＳ、アナログ回路の高電圧（正電圧）ＶＤＤＡ及びＶＤＤＣ、アナログ回路の低電圧（接地電圧又は負電圧）ＶＳＳＡ等を生成して出力する。ここで、論理回路の低電圧ＶＳＳとアナログ回路の低電圧ＶＳＳＡ、及び、論理回路の高電圧ＶＤＤとアナログ回路の高電圧ＶＤＤＡ、は論理回路の電源系とアナログ回路の電源系を分離するために、それぞれ別個に設けられているものであるが、ＶＳＳとＶＳＳＡ、ＶＤＤとＶＤＤＡ、はそれぞれ同じ電圧値である。
【００３５】
このような構成を有する液晶表示装置１において、各走査ラインＬｇに走査信号が順次印加されて選択状態とされ、信号ラインＬｄに供給された表示信号電圧がＴＦＴを介して各画素電極に印加されることにより、表示信号電圧と共通電極に印加されたコモン信号電圧ＶＣＯＭとの電位差が各表示画素の液晶容量Ｃｌｃに充電されて、該電位差に応じて各表示画素における液晶分子の配向状態が制御される。これにより、所望の画像情報が液晶表示パネル１０に表示される。
【００３６】
＜単位セル回路の第１の実施形態＞
図３は、単位セル回路の第１の実施形態の回路図を示した図である。単位セル回路２３１は、入力された輝度信号を保持するためのコンデンサ（サンプルホールド手段）Ｃ１、Ｃ２と、コンデンサＣ１、Ｃ２の保持された表示信号電圧を所定の増幅率で増幅して出力するアンプ３３、３４と、信号ＬＯＥ及び信号ＳＰに基づいてオン／オフ制御されるスイッチ３１、３２と、信号ＬＯＥ及び信号ＯＥに基づいてオン／オフ制御されるスイッチ３５、３６と、スタンバイ信号ＳＴＢＹＢに基づいてオン／オフ制御されるスイッチ（切換手段）３７、３８と、を有する。そして、スイッチ３１及びスイッチ３２の一端には反転アンプ５０から輝度信号が入力される。スイッチ３１の他端は、コンデンサＣ１の一端とアンプ３３の入力端子に接続される。コンデンサＣ１の他端には電圧ＶＳＳが印加される。アンプ３３の出力端子はスイッチ３５及び３７の一端に接続される。スイッチ３５の他端は対応する信号ラインＬｄに接続され、スイッチ３７の他端には電圧ＶＳＳＡが印加される。
【００３７】
スイッチ３２の他端は、コンデンサＣ２の一端とアンプ３４の入力端子に接続される。コンデンサＣ２の他端には電圧ＶＳＳが印加される。アンプ３４の出力端子はスイッチ３６及びスイッチ３８の一端に接続される。スイッチ３６の他端は対応する信号ラインＬｄに接続され、スイッチ３８の他端には電圧ＶＳＳＡが印加される。
【００３８】
単位セル回路２３１には、ＬＣＤコントローラ７０から信号ＳＴＢＹＢ、信号ＯＥ、信号ＬＯＥ及び信号ＶＢが入力され、レベルシフタ回路２２から信号ＳＰが入力される。スイッチ３１は信号ＬＯＥがロウレベルで且つ信号ＳＰがハイレベルの時にオン状態となり、それ以外の時にオフ状態となる。スイッチ３２は信号ＬＯＥがハイレベルで且つ信号ＳＰがハイレベルの時にオン状態となり、それ以外の時にオフ状態となる。スイッチ３５は信号ＬＯＥ及び信号ＯＥがハイレベルの時にオン状態となり、それ以外の時にオフ状態となる。スイッチ３６は信号ＬＯＥがロウレベルで且つ信号ＯＥがハイレベルの時にオン状態となり、それ以外の時にオフ状態となる。スイッチ３７及びスイッチ３８は信号ＳＴＢＹＢがロウレベルの時にオン状態となり、信号ＳＴＢＹＢがハイレベルの時にオフ状態となる。アンプ３３及びアンプ３４には所定のバイアス電圧ＶＢが印加され、バイアス電圧ＶＢに基づいてバイアス電流が設定される。
【００３９】
図４は、単位セル回路の第１の実施形態における主な信号波形を示した図であり、図５は、単位セル回路の第１の実施形態を適用した液晶表示装置における主な信号波形を示した図である。通常表示状態においては、図４及び図５に示すように、輝度信号及び信号ＬＯＥは水平走査期間毎に反転され、信号ＬＯＥがハイレベルの期間（例えば、水平走査期間Ｈ１１）では、信号ＳＰがハイレベルの間スイッチ３２はオン状態となる。また、スイッチ３６はオフ状態であるため、そのとき入力された輝度信号はコンデンサＣ２にサンプリング（充電）される。一方、スイッチ３１はオフ状態であるため、コンデンサＣ１にサンプリングされた輝度信号はホールド（保持）されるが、信号ＯＥがハイレベルの間スイッチＳ３５はオン状態となるため、コンデンサＣ１にホールドされている輝度信号はアンプ３３を介して信号Ｙとして出力される。
【００４０】
次に信号ＬＯＥがロウレベルの期間（例えば、水平走査期間Ｈ１２）では、信号ＳＰがハイレベルの間スイッチＳ３１がオン状態となる。また、スイッチ３５はオフ状態であるため、そのとき入力された輝度信号はコンデンサＣ１にサンプリングされる。一方、スイッチ３２はオフ状態であるため、コンデンサＣ２にサンプリングされた輝度信号はホールドされるが、信号ＯＥがハイレベルの間、スイッチＳ３６はオン状態となるため、コンデンサＣ２にホールドされている輝度信号はアンプ３４を介して信号Ｙとして出力される。また、通常表示状態において、コモン信号電圧ＶＣＯＭは、液晶表示パネル１０の駆動に適した電圧で水平走査期間毎に反転される。
【００４１】
そして、通常表示状態からスタンバイ状態に移行する際には、図４及び図５に示すように、まず残像消去処理が行われた後、スタンバイ状態に設定される。この残像消去処理を行う期間においては、信号ＳＴＢＹＢはハイレベルからロウレベルに切り換えられ、信号ＯＥはハイレベルに設定される。これにより、スイッチ３７及びスイッチ３８がオン状態となり、アンプ３３及びアンプ３４の出力端子は低電圧ＶＳＳＡに接続される。そして、信号ＯＥはハイレベルに設定されているため、信号ＬＯＥがロウレベルになると（例えば、水平走査期間Ｈ１４）、スイッチ３６がオン状態となり、信号ＬＯＥがハイレベルになると（例えば、水平走査期間Ｈ１５）、スイッチ３５がオン状態となるが、何れにおいても、信号Ｙの電圧レベルは低電圧ＶＳＳＡに固定される。
【００４２】
一方、図５に示すように、残像消去処理を行う期間において、コモン信号電圧ＶＣＯＭの電圧レベルが低電圧ＶＳＳに固定されるように、駆動アンプ６０を設定する。この場合、例えば、駆動アンプ６０に印加される極性反転制御信号ＦＲＰを一定レベルとして、コモン信号電圧ＶＣＯＭが一定電圧に固定されるようにし、駆動アンプ６０に印加されるコモン信号電圧ＶＣＯＭの電圧レベル設定用の電圧を低電圧ＶＳＳとして、コモン信号電圧ＶＣＯＭの電圧レベルが低電圧ＶＳＳとなるようにする。また、信号ＳＴＢＹＢはロウレベルになるため、この残像消去処理を行う期間において、前述のように単位セル回路２３１から出力される信号Ｙの電圧レベルは電圧ＶＳＳＡとなっており、電圧ＶＳＳと電圧ＶＳＳＡとは同じ電圧値であるため、液晶表示パネル１０の共通電極に印加されるコモン信号電圧ＶＣＯＭと各信号ラインＬｄに印加される信号Ｙは同電位となる。また、この残像消去処理を行う期間中、走査ドライバ３０は垂直走査を続けて、走査ラインＬｇには走査信号が順次印加される。従って、各表示画素には０Ｖ（白表示データ）が書き込まれ、液晶表示パネル１０の全画面には白が表示（白ラスタ表示）される。これにより残留電圧による残像が速やかに消去される。
【００４３】
そして、残像消去処理を１フィールド期間（または複数フィールド期間）行った後、走査ドライバ３０による垂直走査を停止して、液晶表示装置１をスタンバイ状態に設定する。
【００４４】
このように、残像消去処理を行う期間において、信号ラインＬｄに印加する信号Ｙとコモン信号電圧ＶＣＯＭの電圧レベルが同電位となるように構成することにより、液晶表示パネル１０の全画面を短時間で白表示状態とすることができる。更に、サンプルホールド回路２３における単位セル回路２３１の出力をハイインピーダンス状態にする構成ではないため、仮に、各単位セル回路２３１のスイッチ３５、３６を構成するトランジスタの特性にバラツキがあり、オフ状態でのリーク電流が比較的大きいトランジスタが存在したとしても、リーク電流によって残像消去処理中の液晶表示パネル１０の表示が縦縞状となってしまうことがない。従って、このようなリーク電流が比較的大きいトランジスタを有する信号ドライバでも支障なく用いることができる。これにより、信号ドライバの歩留まりを向上させることができる。
【００４５】
なお、上記においては、残像消去処理を行う期間において、走査ドライバ３０によって走査ラインＬｇが順次選択されることによって垂直走査がなされるとして説明したが、これに限らず、垂直走査を一括して行ってもよい。これにより、残像消去処理における液晶表示パネル１０を白表示とする処理一括して行われ、残像消去処理に要する時間を短縮することができる。
【００４６】
＜変形例＞
尚、本発明の適用は、上述した実施の形態に限定されるものではなく、本発明の趣旨を逸脱しない範囲で適宜変更可能である。図６は、単位セル回路の第１の実施形態における回路図の変形例を示した図である。図６に示すように、信号ＳＴＢＹＢに応じて信号Ｙの電圧レベルを電圧ＶＳＳＡとするスイッチ（切換手段：図３におけるスイッチ３７、３８）を１系統としてもよい。即ち、スイッチ３５とスイッチ３６の他端にスイッチ６１の一端が共通接続され、スイッチ６１の他端には電圧ＶＳＳＡが印加される。スイッチ６１は信号ＳＴＢＹＢがハイレベルの時はオフ状態となり、ロウレベルの時はオン状態となる。
【００４７】
図７は、図６に示す単位セル回路の変形例における主な信号波形を示した図である。通常表示状態からスタンバイ状態に移行する間の残像消去処理を行う期間において、信号ＳＴＢＹＢ及び信号ＯＥはロウレベルとなる。これによりスイッチ３５及びスイッチ３６はオフ状態となるためアンプ３３及びアンプ３４の出力はハイインピーダンス状態となるが、スイッチ６１がオン状態となるため、信号Ｙの電圧レベルは電圧ＶＳＳＡとなる。そしてコモン信号電圧ＶＣＯＭの電圧レベルを電圧ＶＳＳとすることで、信号ラインＬｄと共通電極が同電位となり、液晶表示パネル１０の全画面を白表示状態にすることができる。
【００４８】
また、上述の実施形態においては、単位セル回路２３１は２系統のアンプ３３、３４によって構成されること説明したが、これらのアンプを１系統のアンプによって構成するようにしてもよい。
【００４９】
＜単位セル回路の第２の実施形態＞
図８は、単位セル回路の第２の実施形態の回路図を示した図である。上述の単位セル回路の第１の実施形態においては、残像消去処理期間において、信号Ｙの電圧レベルを電圧ＶＳＳＡとし、コモン信号電圧ＶＣＯＭの電圧レベルを電圧ＶＳＳとすることとしたが、つまりは信号Ｙとコモン信号電圧ＶＣＯＭとが同電位となればよい。そこで、本実施形態における単位セル回路は、残像消去処理を行う期間において、信号Ｙの電圧レベルを電圧ＶＤＤＣとし、コモン信号電圧ＶＣＯＭの電圧レベルを電圧ＶＤＤＡとする構成を備えるものである。すなわち、図８に示すように、単位セル回路の第２の実施形態は、図６におけるスイッチ６１の代わりに、信号ＳＴＢＹＢに応じて信号Ｙの電圧レベルを電圧ＶＤＤＣとするスイッチ（切換手段）８１がスイッチ３５とスイッチ３６の他端に共通接続される。
【００５０】
図９は、図８に示す単位セル回路の第２の実施形態における主な信号波形を示した図であり、図１０は、単位セル回路の第２の実施形態を適用した液晶表示装置における主な信号波形を示した図である。残像消去処理を行う期間において、スイッチ３５及びスイッチ３６はオフ状態となるためアンプ３３及びアンプ３４の出力はハイインピーダンス状態となるが、スイッチ８１がオン状態となるため、信号Ｙの電圧レベルは電圧ＶＤＤＣとなる。一方、図１０に示すように、残像消去処理を行う期間において、コモン信号電圧ＶＣＯＭの電圧レベルが電圧ＶＤＤＡに固定されるように、駆動アンプ６０を設定する。電圧ＶＤＤＡと電圧ＶＤＤＣは同じ電圧値であるため信号ラインＬｄと共通電極が同電位となり、各表示画素には０Ｖ（白表示データ）が書き込まれて、液晶表示パネル１０の全画面を白表示状態にすることができる。
【００５１】
なお、前述の図３と同様に、信号ＳＴＢＹＢに応じて信号Ｙの電圧レベルを電圧ＶＤＤＣとするスイッチを、アンプ３３及びアンプ３４の出力端子にそれぞれ接続するようにしてもよい。この場合、残像消去処理を行う期間において、信号ＯＥはハイレベルに固定され、スイッチ３５及びスイッチ３６はオン状態に固定される。
【００５２】
＜単位セル回路の第３の実施形態＞
図１１は、単位セル回路の第３の実施形態の回路図を示した図である。上述の第１及び第２の実施形態においては、残像消去処理を行う期間において、信号Ｙとコモン信号電圧ＶＣＯＭの電圧レベルを、同じ一定の電圧に設定する構成としたが、両者が同じ電圧であれば、一定の電圧でなくともよい。そこで、本実施形態における単位セル回路は、残像消去処理を行う期間において、信号Ｙとコモン信号電圧ＶＣＯＭの電圧レベルを同じ電圧に保った状態で、例えば１水平走査期間（１ライン）毎に両者の電圧を反転させる構成を備えるものである。すなわち、図１１に示すように、単位セル回路の第３の実施形態は、信号ＰＲＥＣに応じて信号Ｙの電圧レベルを電圧ＶＤＤＣにするスイッチ（切換手段）１１１と、信号ＤＩＳＣに応じて信号Ｙの電圧レベルを電圧ＶＳＳＡにするスイッチ（切換手段）１１２と、を更に有し、スイッチ１１１及びスイッチ１１２が、スイッチ３５及びスイッチ３６の他端に共通接続される。また、信号ＰＲＥＣ及び信号ＤＩＳＣは、ＬＣＤコントローラ７０から入力される。
【００５３】
図１２は、図１１に示す単位セル回路の第３の実施形態を適用した液晶表示装置における主な信号波形を示した図である。残像消去処理を行う期間において、信号ＰＲＥＣと信号ＤＩＳＣは互いに極性が異なるように、例えば１水平走査期間（１ライン）毎に反転駆動される。また、コモン信号電圧ＶＣＯＭは、ハイレベル時の電圧レベルが電圧ＶＤＤＡ、ロウレベル時の電圧レベルが電圧ＶＳＳに設定されて反転駆動される。そして、コモン信号電圧ＶＣＯＭがハイレベルの時、信号ＰＲＥＣがハイレベル、信号ＤＩＳＣがロウレベルとなるように、各信号が設定される。そして、信号ＰＲＥＣがハイレベルの時、スイッチ１１１がオン状態、スイッチ１１２がオフ状態となるため、信号Ｙの電圧レベルは電圧ＶＤＤＣとなり、このとき、コモン信号電圧ＶＣＯＭの電圧は電圧ＶＤＤＡであり、電圧ＶＤＤＣと電圧ＶＤＤＡは同じ電圧値であるため信号ラインＬｄと共通電極は同電位となる。また信号ＤＩＳＣがハイレベルの時、スイッチ１１１がオフ状態、スイッチ１１２がオン状態であるため、信号Ｙの電圧レベルは電圧ＶＳＳＡとなり、このとき、コモン信号電圧ＶＣＯＭの電圧は電圧ＶＳＳＡであり、電圧ＶＳＳＡと電圧ＶＳＳは同じ電圧値であるため信号ラインＬｄと共通電極は同電位となり、いずれのタイミングにおいても信号ラインＬｄと共通電極は同電位であるため、上述の第１及び第２の実施形態の場合と同様に、液晶表示パネル１０の各表示画素に０Ｖ（白表示データ）が書き込まれる。そして垂直走査が１フィールド期間（または複数フィールド期間）行われることにより、液晶表示パネル１０の全画面を白表示状態にすることができる。
【図面の簡単な説明】
【００５４】
【図１】液晶表示装置の構成の一例を示すブロック図。
【図２】信号ドライバの要部構成図。
【図３】単位セル回路の第１の実施形態の回路図を示した図。
【図４】単位セル回路の第１の実施形態における主な信号波形を示した図。
【図５】単位セル回路の第１の実施形態を適用した液晶表示装置における主な信号波形を示した図。
【図６】単位セル回路の第１の実施形態における回路図の変形例の一例を示した回路図。
【図７】単位セル回路の変形例における主な信号波形を示した図。
【図８】単位セル回路の第２の実施形態の回路図を示した図。
【図９】単位セル回路の第２の実施形態における主な信号波形の一例を示した回路図。
【図１０】単位セル回路の第２の実施形態を適用した液晶表示装置における主な信号波形を示した図。
【図１１】単位セル回路の第３の実施形態の回路図を示した図。
【図１２】単位セル回路の第３の実施形態を適用した液晶表示装置における主な信号波形を示した図。
【図１３】液晶表示パネルの等価回路。
【図１４】従来の信号ドライバの要部構成図。
【符号の説明】
【００５５】
１      液晶表示装置
１０      液晶表示パネル
２０      信号ドライバ
２１      シフトレジスタ回路
２２      レベルシフタ回路
２３      サンプルホールド回路
２３１    単位セル回路
３０      走査ドライバ
４０      ＲＧＢデコーダ
５０      反転アンプ
６０      駆動アンプ
７０      ＬＣＤコントローラ
８０      電圧発生回路
【図１】
2006106019.tif 000003
【図２】
2006106019.tif 000004
【図３】
2006106019.tif 000005
【図４】
2006106019.tif 000006
【図５】
2006106019.tif 000007
【図６】
2006106019.tif 000008
【図７】
2006106019.tif 000009
【図８】
2006106019.tif 000010
【図９】
2006106019.tif 000011
【図１０】
2006106019.tif 000012
【図１１】
2006106019.tif 000013
【図１２】
2006106019.tif 000014
【図１３】
2006106019.tif 000015
【図１４】
2006106019.tif 000016